(57)【要約】【課題】例えばプリンタ本体と、プリンタ本体の上方にあって、プリンタ本体に回動自在に保持されたスキャナ部と、装置を操作するための操作パネルを備えた情報処理装置において、ＩＣカードリーダを新たにオプションで備える場合、装置の設置スペースが大きくなり、更に装置外観を損なう虞があった。【解決手段】一対のステイ２１，２２を備えた画像印刷部１０と、画像印刷部１０に対して、第１回動軸３３を中心に回動する画像読取装置３０と、ユーザの操作入力を受け付ける操作パネル８０と、この操作パネル８０に隣接して配置され、ＩＣカードリーダ８５を収納するＩＣカードリーダ収納部５０とを備え、ＩＣカードリーダ収納部５０は、ＩＣカードリーダ８５を収納する収納部（５１，５２，５３，５４）と、収納部を開閉する開閉蓋７０とを備える。【選択図】図１
2016064614.tif 000002
【特許請求の範囲】
【請求項１】
第１のユニットと、
前記第１のユニットに対して第１の回動軸を中心に回動する第２のユニットと、
ユーザの操作入力を受け付ける入力部と、
前記入力部に隣接して配置され、無線読取ユニットを収納する無線読取ユニット収納部と
を備え、
前記無線読取ユニット収納部は、
前記無線読取ユニットを収納する収納部と、
前記収納部を開閉する開閉蓋と
を備えたことを特徴とする情報処理装置。
【請求項２】
前記入力部及び前記無線読取ユニット収納部は、前記情報処理装置の正面側に配置され、前記第１の回動軸は、前記情報処理装置の、前記正面側とは反対側の後部に配置され、軸方向が左右に延在することを特徴とする請求項１記載の情報処理装置。
【請求項３】
前記開閉蓋は、前記収納部に対して、軸方向が前記第１の回動軸と略直交する方向に配置された第２の回動軸を中心に回動自在に構成されたことを特徴とする請求項２記載の情報処理装置。
【請求項４】
前記第２の回動軸は、前記収納部の、前記入力部とは離間した側に配置されたことを特徴とする請求項３記載の情報処理装置。
【請求項５】
前記収納部は、前記第２の回動軸とは反対側において、前記無線読取ユニットと電気的に接続するための接続部を備えたことを特徴とする請求項３又は４記載の情報処理装置。
【請求項６】
前記収納部は、前記無線読取ユニットを載置する載置床を有し、前記載置床の下部に前記無線読取ユニットに付随するケーブルの余長部分を収納する収容空間を有することを特徴とする請求項１乃至５の何れかに記載の情報処理装置。
【請求項７】
前記開閉蓋は、前記無線読取ユニットによって認証する被認証体を載置する認証面を備えたことを特徴とする請求項１乃至６の何れかに記載の情報処理装置。
【請求項８】
前記無線読取ユニット収納部は前記第２のユニットに配設され、前記収納部に前記第２のユニットを回動するための把持部を形成したことを特徴とする請求項３乃至７の何れかに記載の情報処理装置。
【請求項９】
前記第２のユニットは、基部と前記基部に対して第３の回動軸を中心に回動自在に構成された回動部とを備えたことを特徴とする請求項８記載の情報処理装置。
【請求項１０】
前記第３の回動軸は、前記第２のユニットの後部にあって、軸方向が、前記第１の回動軸の軸方向と平行であることを特徴とする請求項９記載の情報処理装置。
【請求項１１】
前記第１のユニットが画像印刷部を備え、前記第２のユニットが画像読取部を備えることを特徴とする請求項８乃至１０の何れかに記載の情報処理装置。
【請求項１２】
前記無線読取ユニット収納部及び前記入力部は、前記第１のユニットに配設されたことを特徴とする請求項３乃至７の何れかに記載の情報処理装置。
【請求項１３】
前記第１のユニットがプリンタ本体であり、前記第２のユニットがスタッカカバーであることを特徴とする請求項１２記載の情報処理装置。
【請求項１４】
請求項１乃至１３の何れかに記載の情報処理装置は、画像形成装置であることを特徴とする画像形成装置。
【発明の詳細な説明】
【技術分野】
【０００１】
本発明は、情報処理装置に関し、特に回動可能なユニットと認証機能を備えた情報処理装置に関する。
【背景技術】
【０００２】
例えばプリンタ本体と、プリンタ本体の上方にあって、プリンタ本体に回動自在に保持されたスキャナ部と、装置を操作するための操作パネルを備えた画像形成装置があった（例えば、特許文献１参照）。
【先行技術文献】
【特許文献】
【０００３】
【特許文献１】特開２０１２−１６９７６９号公報（第４頁、図２）
【発明の概要】
【発明が解決しようとする課題】
【０００４】
このような画像形成装置において、ＩＣカードリーダを新たにオプションで備える場合、装置の設置スペースが大きくなり、更に装置外観を損なう虞があった。
【課題を解決するための手段】
【０００５】
本発明による情報処理装置は、
第１のユニットと、前記第１のユニットに対して第１の回動軸を中心に回動する第２のユニットと、ユーザの操作入力を受け付ける入力部と、前記入力部に隣接して配置され、無線読取ユニットを収納する無線読取ユニット収納部とを備え、
前記無線読取ユニット収納部は、
前記無線読取ユニットを収納する収納部と、前記収納部を開閉する開閉蓋とを備えたことを特徴とする。
【発明の効果】
【０００６】
本発明によれば、装置の設置スペースを大きくすることなく、また装置外観を損なうことなく、無線読取ユニットを収納することが可能となる。
【図面の簡単な説明】
【０００７】
【図１】本発明の情報処理装置に基づく実施の形態１の複合装置の外観斜視図である。
【図２】実施の形態１における、画像印刷部の要部構成を説明するための概略構成図である。
【図３】実施の形態１における、複合装置の結合部分を、左側からみた要部構成図である。
【図４】実施の形態１における、画像読取部の外観斜視図である。
【図５】実施の形態１における、画像読取部の平面図である。
【図６】実施の形態１における、画像読取部の正面図である。
【図７】実施の形態１において、開閉蓋を外した状態のＩＣカードリーダ収納部の平面図である。
【図８】図５に示す、ＩＣカードリーダ収納部のＤ−Ｄ断面図である。
【図９】実施の形態１において、開閉蓋を開けた状態のＩＣカードリーダ収納部及びその周辺の外観斜視図である。
【図１０】実施の形態１において、左枠部の回動軸部、開閉蓋の軸受部、及びその近傍に形成された押さえ部材の構成を示す部分拡大構成図であり、（ａ）は開閉蓋が閉じた状態を示し、（ｂ）は開閉蓋が開いた状態を示す。
【図１１】実施の形態１において、（ａ），（ｂ），（ｃ）は、収納凹部に形成された係止凸部とこれに対向する開閉蓋に形成されたラッチとの係合動作を説明するための動作説明図である。
【図１２】実施の形態１において、載置床に位置決めされたＩＣカードリーダを、ラッチと共に右側（Ｘ軸のプラス側）からみた要部構成図である。
【図１３】本発明の情報処理装置に基づく実施の形態２のプリンタを斜め上方からみた外観斜視図である。
【発明を実施するための形態】
【０００８】
実施の形態１．
図１は、本発明の情報処理装置に基づく実施の形態１の複合装置１の外観斜視図であり、図２は、画像印刷部１０の要部構成を説明するための概略構成図である。尚、図１に示す複合装置１を、正面（矢印Ａ方向）からみて、複合装置１の上下左右前後の方向を特定する場合がある。
【０００９】
図１に示すように、情報処理装置であって画像形成装置としての複合装置１は、下部に配置された画像印刷部１０とその上方に、一対の左ステイ２１、右ステイ２２を介して配置された画像読取部３０とを備える。
【００１０】
図２に示すように、画像印刷部１０には、媒体載置台１１０、ピックアップローラ１１１、給紙ローラ１１２、分離ローラ１１３、搬送ローラ対１１４，１１７、画像形成部１１５、画像定着器１１６、排出ローラ対１１８、及び排出用紙載置部１１９が配設されている。
【００１１】
媒体載置台１１０は、記録媒体としての記録用紙を重ねて載置し、ピックアップローラ１１１は、媒体載置台１１０に重ねて載置された記録用紙の最上部の用紙を、順次搬送路の下流側に向かって排出する。給紙ローラ１１２及び分離ローラ１１３は、共働して、ピックアップローラ１１１によって、媒体載置台１１０から排出される記録用紙を、複数枚重なることなく一枚に捌いて用紙搬送路に沿って下流側に搬送する。
【００１２】
画像形成部１１５は、搬送ローラ対１１４によって更に下流側に搬送される記録用紙に対し、印刷データに基づいて感光体ドラム１１５ａ上に形成したトナー像を転写ローラ１１５ｂによって転写すると共に、転写した記録用紙を画像定着器１１６に搬送する。
【００１３】
画像定着器１１６は、搬送されてくる記録用紙に、その記録用紙に転写されたトナー像を定着して搬送方向下流側に排出し、搬送ローラ対１１７は、画像定着器１１６から送られてくる定着済みの記録用紙を排出搬送路に沿って排出ローラ対１１８に搬送し、排出ローラ対１１８は、その印刷処理された記録用紙を排出用紙載置部１１９に排出する。従って、上記した処理によって順次印刷された記録用紙は、排出用紙載置部１１９に重ねて堆積する。
【００１４】
画像印刷部１０のスタッカカバー１２２は、排出ローラ対１１８及び排出用紙載置部１１９を備え、外筐１３によって、回動軸１２３を回動中心として回動自在に保持されている。例えは、このスタッカカバー１２２を閉じた位置から矢印Ｂ方向に回動して開けることにより、画像印刷部１０の内部に配置された画像定着器１１６や画像形成部１１５のメンテナンスが可能となる。
【００１５】
画像印刷部１０は、例えば画像読取部３０で読み込んだ画像情報を記録用紙に印刷してスタッカカバー１２２の排出用紙載置部１１９上に排出する。図１に示すように、画像印刷部１０の外筐１３の上部には、スタッカカバー１２２を介した左右の側部に沿って、左ステイ２１と右ステイ２２とが、互いに対向して平行に配置されている。
【００１６】
画像読取部３０は、フラットベッドユニット３１とフラットベッドユニット３１によって回動自在に保持された自動原稿搬送装置（以後、ＡＤＦユニットと称す）４１とを備え、左右のステイ２１，２２によって回動自在に保持されている。
【００１７】
尚、ここでは、画像印刷部１０、左ステイ２１、及び右ステイ２２が第１のユニットに相当し、画像読取部３０が第２のユニットに相当する。
【００１８】
図３は、複合装置１の結合部分を、左側からみた要部構成図である。
【００１９】
図３に示すように、フラットベッドユニット３１のフレーム３４には、その後端近傍において、左ステイ２１の内側壁に対向して垂下する軸ホルダ３５が形成されている。この軸ホルダ３５は、左右に延在する第１の回動軸としての第１回動軸３３を保持し、左ステイ２１の内側壁には、嵌入する第１回動軸３３の左側先端部を回動自在に保持する左軸孔２１ａが形成されている。またフレーム３４には、同様にして右ステイ２２の内側壁に対向して垂下する軸ホルダ３６が形成されている。この軸ホルダ３６は、左右に延在する第１回動軸３３を保持し、右ステイ２２の内側壁には、嵌入する第１回動軸３３の右側先端部を回動自在に保持する右軸孔２２ａが形成されている。
【００２０】
従って、画像読取部３０は、フラットベッドユニット３１とＡＤＦユニット４１とが一体となって、第１回動軸３３を中心に回動することができる。第１図、第３図は、この画像読取部３０が閉位置にあって、そのフラットベッドユニット３１のフレーム３４が、左右のステイ２１，２２上に載置されて左右のステイ２１，２２の長手方向に延在する状態を示している。
【００２１】
尚、図１中のＸ、Ｙ、Ｚの各軸は、第１回動軸３３が延在する方向にＸ軸をとり、左右のステイ２１，２２が延在する方向にＹ軸をとり、これら両軸と直交する方向にＺ軸をとっている。また、後述する他の図においてＸ、Ｙ、Ｚの各軸が示される場合、これらの軸方向は、共通する方向を示すものとする。即ち、各図のＸＹＺ軸は、各図の描写部分が、図１に示す複合装置１を構成する際の配置方向を示している。またここでは、Ｚ軸が略鉛直方向となるように配置されるものとする。
【００２２】
また、回動部としてのＡＤＦユニット４１は、図３に示すように、基部としてのフラットベッドユニット３１のフレーム３４の後方上面の左右の両端部（Ｘ軸方向における両端部）から突き出るように配置された一対のヒンジユニット３７（３８）によって回動自在に保持されている。この第３の回動軸としてのＡＤＦ回動軸４４は、その下方に位置する第１回動軸３３と平行（Ｘ軸方向）に延在する。
【００２３】
従って、ＡＤＦユニット４１は、フラットベッドユニット３１に対してＡＤＦ回動軸４４を中心に回動することができる。第１図、第３図は、このＡＤＦユニット４１が閉位置にあって、その下面がフラットベッドユニット３１のフレーム３４に載置された状態を示している。このため、ＡＤＦユニット４１には、ＡＤＦユニット４１を開ける際に、ユーザが指をかけて持ち上げるための手掛け部４２が形成されている。
【００２４】
図４は、画像読取部３０の外観斜視図、図５はその平面図、そして図６はその正面図である。
【００２５】
これらの図に示すように、ＡＤＦユニット４１には、これから読み取る原稿を載置する原稿トレイ４５とその下部に読み取った原稿を載置する排出トレイ４６が備えられ、フラットベッドユニット３１のフレーム３４には、画像読取部３０の前方部において、右側に入力部としての操作パネル８０が配置され、左側には操作パネル８０に隣接してＩＣカードリーダ８５を収納する無線読取ユニット収納部としてのＩＣカードリーダ収納部５０が配置されている。操作パネル８０は、例えば画像処理条件の各種設定や装置の状態等を表示する表示部と、装置への命令を入力するための操作部とを備えている。ここでは、複合装置１に配設された操作パネル８０に向かう方向（矢印Ａ方向）に複合装置１の正面を想定する。
【００２６】
図７は、開閉蓋７０を外した状態のＩＣカードリーダ収納部５０の平面図であり、図８は、図５に示す、ＩＣカードリーダ収納部５０のＤ−Ｄ断面図であり、図９は、開閉蓋７０を開けた状態のＩＣカードリーダ収納部５０及びその周辺の外観斜視図である。
【００２７】
これらの図に示すように、ＩＣカードリーダ収納部５０は、ここでは画像読取部３０の正面側の左側において、フレーム３４が、ＡＤＦユニット４１の前面４１ａより前方に、操作パネル８０に隣接して突き出た箇所に設けられ、無線読取ユニットであって認証ユニットとしてのＩＣカードリーダ８５を収納する収納凹部５１と収納凹部５１の上部開口を開閉する開閉蓋７０を備える。ここでは、開閉蓋７０は、ＩＣカードリーダ８５の電波を遮蔽しないよう、ポリカーボネート、ＡＢＳ樹脂等で形成されている。
【００２８】
収納凹部５１は、周囲を前枠部５２、左枠部５３、右枠部５４等によって囲まれ、前枠部５２の下部には、第１回動軸３３（図１）を中心に回動可能な画像読取部３０を上方に開ける際に、ユーザが指を掛けて持ち上げるための把持部としての手掛け部５５が形成され、左枠部５３の内壁上部中央部には、開閉蓋７０を回動自在に支持するための第２の回動軸としての回動軸部５７が、第１回動軸３３と直交する方向（Ｙ軸方向）を軸方向として形成されている。ここでは、収納凹部５１、前枠部５２、左枠部５３、及び右枠部５４が収納部に相当する。
【００２９】
開閉蓋７０は、収納凹部５１の開口部の周囲の縁に浅く形成された載置溝５６に収まって、縁部７０ａがこの載置溝５６に載置可能な外形を有し、収納凹部５１の回動軸部５７に対向する位置に断面半円形状の軸受部７１（図８）を備える。
【００３０】
図１０は、左枠部５３の回動軸部５７、開閉蓋７０の軸受部７１、及びその近傍に形成された押え部材５８の構成を示す部分拡大構成図である。開閉蓋７０は、収納凹部５１に対して着脱自在であり、同図（ａ）に示すように、回動軸部５７とその近傍にあって、弾性を有して収納凹部５１の底部から直立する押え部材５８との隙間から、同図に点線で示すように押え部材５８を湾曲させながら軸受部７１の先端部に形成された係止部７１ａを押し込んで装着する。
【００３１】
同図（ａ）は、開閉蓋７０が閉位置にあって、収納凹部５１を閉じた状態を示す。このとき押え部材５８は、先端部に形成された載置面５８ａによって開閉蓋７０の底面を支え、突起部５８ｂによって、開閉蓋７０の軸受部７１を左枠部５３に形成された回動軸部５７に付勢する。これにより、開閉蓋７０は、回動軸部５７を中心にして開位置に向けて回動することが可能となる。
【００３２】
同図（ｂ）は、開閉蓋７０が開位置まで回動して、図９に示すように開いた状態を示す。このとき、開閉蓋７０の軸受部７１の係止部７１ａが、押え部材５８の突起部５８ｂに当接し、自重によって更に開こうとする開閉蓋７０の回動を規制し、この開位置に維持する。尚、この時の開閉蓋７０の開角θ１が、ここでは約１０５度となるように構成したが、９５度〜１２０度とするのが良い。
【００３３】
開閉蓋７０は、軸受部７１が形成された側（左側）とは反対側（右側）の端部近傍において、前側の辺が円弧状に切り込まれて先細りに形成され、その先端部には、表面から離間する方向に延在する一対のラッチ７３（７３）が両側に形成されている（図９では一方のみ示す）。開閉蓋７０が閉じた閉位置にあるとき、収納凹部５１において、一対のラッチ７３（７３）に対向する位置には、それぞれ係止凸部６０（６０）が配置され（図９では一方のみ示す）、開閉蓋７０を円滑に閉位置に固定する。
【００３４】
図１１は、収納凹部５１に形成された係止凸部６０とこれに対向する開閉蓋７０に形成されたラッチ７３との係合動作を説明するための動作説明図である。
【００３５】
同図（ａ）は、開閉蓋７０が閉位置にあって、収納凹部５１を閉じた状態を示す。このとき弾性を有するラッチ７３の先端部に形成された突起部を形成する第１傾斜面７３ａが係止凸部６０の角部に相当する当接部６０ａに所定の角度（ここでは鉛直方向に対する第１傾斜面７３ａの傾斜角θ２を約４５度とした）で当接し、開閉蓋７０の開方向への回動に伴うラッチ７３の上方移動を規制している。尚、傾斜角θ２は２５度〜７０度とするのが良い。
【００３６】
この状態から後述する様に、開閉蓋７０に対して開ける方向への所定以上の力が加わると、同図（ｂ）に示すように、ラッチ７３が湾曲しながら上方に移動することによって規制が解除され、更に同図（ｃ）に示すようにラッチ７３と係止凸部６０が離間した状態となる。
【００３７】
一方、開閉蓋７０を開位置から閉位置に回動する場合には、図１１（ｃ）に示すように、ラッチ７３の先端部に形成された突起部の第２傾斜面７３ｂが、同図（ｂ）に示すように係止凸部６０に当接して湾曲しながら下方に移動し、やがて同図（ａ）に示すように、ラッチ７３の第１傾斜面７３ａが係止凸部６０の当接部６０ａに当接し、閉位置にロックされる。
【００３８】
また開閉蓋７０は、閉位置に係止されているとき、前記したように、縁部７０ａが載置溝５６に収まって載置され、その上面にあたる後述する認証面としてのＩＣカード載置面７０ｃが、ＩＣカードリーダ収納部５０の上面（ここではフラットベッドユニット３１のフレーム３４の上面でもある）と面一となるように載置溝５６の深さが考慮されている。
【００３９】
開閉蓋７０の先端部には、載置溝５６の深さＨより薄く形成された手掛け部７０ｄが形成され、載置溝５６の、この手掛け部７０ｄに対向する箇所には、操作者が手掛け部７０ｄに指掛けできるような、手掛けスペース５６ａが形成されている。また開閉蓋７０の先端部には、手掛け部７０ｄの近傍に操作者の指が挿入できる切欠け部７０ｅが形成され、開閉時の把持が確実に行えるようになっている。
【００４０】
以上のように、開閉蓋７０は、軸方向が、ＡＤＦユニット４１の回動軸であるＡＤＦ回動軸４４とは直交する方向に配置された回動軸部５７を中心に回動するため、図９に示すように開位置にある開いた状態であっても、ＡＤＦユニット４１の回動を妨げることはない。
【００４１】
ＩＣカードリーダ８５を収納する収納凹部５１には、ＩＣカードリーダ８５を載置する載置床６２が形成され、載置床６２の下部には、ケーブル収容空間６６（図８）が設けられている。載置床６２には、載置されるＩＣカードリーダ８５の前後左右に複数のリブ６３（図７）が形成されており、これら複数のリブ６３によって、載置床６２上に載置されるＩＣカードリーダ８５が位置決めされる。
【００４２】
ＩＣカードリーダ８５は、ここでは厚板状の直方体形状を有し、長手方向の一端には、読み取ったデータや各種データを送受信するためのケーブル８６が接続され、ケーブル８６の先端にはコネクタ８７が配設されている。ＩＣカードリーダ８５は、収納凹部５１の載置床６２に、長手面が正面に向くように、かつケーブル８６が接続された一端が、開閉蓋７０の回動軸部５７に対して反対側に向くように載置される。尚、ここでのＩＣカードリーダ８５は、無線で、ＩＣカード等に内蔵されたＩＣチップを読み取る装置である。ここでは、ＩＣカードを例としたが、ＩＣチップが内蔵された携帯端末であっても良い。
【００４３】
図１２は、このようにして載置床６２に位置決めされたＩＣカードリーダ８５を、ラッチ６８，６９と共に右側（Ｘ軸のプラス側）からみたＥ−Ｅ断面における要部構成図である。
【００４４】
同図に示すように、ＩＣカードリーダ８５は、対向する一対の長手面８５ａ，８５ｂが、互いに接近する方向に断面略円弧状に形成されており、その一番窪んだ位置に、載置床６２から植立する一対のラッチ６８，６９の各突起部６８ａ，６９ａが当接するように、各ラッチ６８，６９が形成されている。ラッチ６８，６９は、弾性を有し、僅かに反った状態で両側から圧接してＩＣカードリーダ８５の上下方向移動を規制して固定している。
【００４５】
このように位置決めされたＩＣカードリーダ８５に接続されたケーブル８６は、そのコネクタ８７が、収納凹部５１の右枠部５４の内壁部に、その受け口が位置するように配置された接続部としてのソケット６７に差し込まれ、その余長部分８６ａが、載置床６２の開口としての切欠き部６４から載置床６２の下部に導かれ、ケーブル収容空間６６に収容される。このソケット６７は、ケーブル６７ａによって、図示しない制御基板に電気的に接続されている。尚、開閉蓋７０の先端部に形成された切欠け部７０ｅは、開閉蓋７０を閉める際に、ソケット６７に差し込まれたコネクタ８７を回避するためのものでもある。
【００４６】
また、ソケット６７が、開閉蓋７０の回動軸部５７が形成された収納凹部５１の左枠部５３とは反対側の右枠部５４の内壁部に、その受け口が位置するように配置されているため、図９に示すように、開位置にある開閉蓋７０に妨げられることなくコネクタ８７をソケット６７に差し込むことができる。
【００４７】
また、回動軸部５７が、収納凹部５１の、操作パネル８０とは離間した側に配設されているため、図９に示すように、操作者による操作パネル８０の操作又は表示の確認が、開位置にある開閉蓋７０によって妨げられることがない。
【００４８】
以上の構成において、複合装置１の各部の機能について更に説明する。
【００４９】
画像印刷部１０のメンテナンス等で、スタッカカバー１２２を開ける場合、先ずその上部にある画像読取部３０を、第１回動軸３３を中心に閉位置から開位置に回動する。この時操作者は、例えばＩＣカードリーダ収納部５０に形成された手掛け部５５に指を掛けて画像読取部３０の先端部を上方に持ち上げる。この時画像読取部３０は、約６０度回動したところで、図示しないリミッタによりそれ以上の回動が規制され、且つ図示しないロック機構によってその回動位置に保持される。これにより、操作者は、更にスタッカカバー１２２を開け、内部に配設されている画像定着器１１６等の消耗品の交換等のメンテナンスを行うことができる。
【００５０】
一方、画像読取部３０では、フラットベッドユニット３１上の所定位置に読取原稿を載置して原稿を読み取る場合がある。このような場合、図１に示すように閉位置にある画像読取部３０において、フラットベッドユニット３１に対してＡＤＦユニット４１を、ＡＤＦ回動軸４４を中心に閉位置から開位置に回動する。この時操作者は、ＡＤＦユニット４１の前面４１ａ（図４）に形成された手掛け部４２に指を掛けてその先端部を上方に持ち上げる。
【００５１】
次に、ＩＣカードリーダ８５を複合装置１に取り付ける手順について説明する。
【００５２】
操作者は、先ずＩＣカードリーダ収納部５０の手掛けスペース５６ａから開閉蓋７０の手掛け部７０ｄに指を掛け、閉位置から図９に示す開位置まで回動軸部５７（図１０）を中心に回動する。この時、開閉蓋７０は、開角θ１が約１０５度となる位置で回動が制限され保持される。
【００５３】
次に操作者は、用意したＩＣカードリーダ８５を、収納凹部５１の載置床６２に形成された複数のリブ６３に導かれて所定位置に位置決めし、ラッチ６８，６９によって固定するため、多少の押圧力で押下する。これによってＩＣカードリーダ８５は、湾曲した長手面８５ａ，８６ａの最も窪んだ位置を押圧するラッチ６８，６９によって上方向移動が規制されて上下左右方向において固定される。
【００５４】
このＩＣカードリーダ８５の取付けに前後して、操作者は、コネクタ８７を、ＩＣカードリーダ収納部５０に配設されたソケット６７（図８）に差し込み、長余部分を載置床６２の下部に形成されたケーブル収容空間６６に収納する。その後、開閉蓋７０を閉位置まで閉じ、図１１で説明したように、一対のラッチ７３とこれに対応する一対の係止凸部６０との係合によって閉位置に固定する。
【００５５】
操作者は、閉じた開閉蓋７０の上面に相当するＩＣカード載置面７０ｃにＩＣカードを載置し、ＩＣカードリーダ収納部５０に取り付けられたＩＣカードリーダ８５によって、載置されたＩＣカードのデータを読み込ませることによって、例えばＩＣカードの認証を行う。
【００５６】
尚、本実施の形態の複合装置１では、ＩＣカードリーダ収納部５０を、フレーム３４の一部として形成したが、これに限定するものではなく、例えばユニットとして構成してフレーム３４に装着するように構成しても良い。
【００５７】
また、本実施の形態では、ＡＤＦユニット４１の回動軸であるＡＤＦ回動軸４４を、その軸方向が、画像読取部３０の回動軸である第１回動軸３３の軸方向と平行となるように配置したが、これに限定されるものではなく、例えば装置の右側にあって第１回動軸３３の軸方向と直交する方向に配置し、このＡＤＦ回動軸を中心にＡＤＦユニット４１を回動するように構成しても良い。
【００５８】
また、本実施の形態では、ＩＣカードリーダ収納部５０を操作パネル８０の左側に配置したが、これに限定されるものではなく、左右を逆に配置することも可能である。
【００５９】
また、本実施の形態では、無線読取ユニットとして、ＩＣカードのデータを読み込む非接触型のＩＣカードリーダ８５を採用したが、これに限定されるものではなく、例えば接触型であってもよく、また磁気カードのデータを読み込む磁気カードリーダとすることも可能である。
【００６０】
更に、本実施の形態では、画像印刷部１０に、単色の直接転写方式の印刷装置を示したが、これに限定されるものではなく、例えば複数色用の画像形成部を備えたカラー印刷用の印刷装置や、中間転写方式の印刷装置であっても良いなど、種々の態様を取り得るものである。
【００６１】
以上のように、本実施の形態の複合装置１によれば、ＩＣカードリーダ収納部５０を、装置正面側において、操作パネル８０に隣接して配置しているため、装置の設置スペースを広げることなく、また装置の外観を損なうことなくＩＣカードリーダ８５を実装することができる。
【００６２】
また、ＩＣカードリーダ収納部５０が、装置の後部に配置された第１回動軸３３から離間した装置の前側に配設されているため、ＩＣカードリーダ収納部５０に画像読取部３０を開閉するための手掛け部５５を設けることができ、無駄のないレイアウトが可能となる。
更に、ＩＣカード載置面７０ｃと対向する位置に手掛け部５５を設けているので、画像読取部３０を回動する時、手掛け部５５を持とうとするユーザがＩＣカード載置面７０ｃを目視することになり、ＩＣカードの取り忘れに気付くことができる。
【００６３】
実施の形態２．
図１３は、本発明の情報処理装置に基づく実施の形態２のプリンタ２００を斜め上方からみた外観斜視図である。尚、図１３に示すプリンタ２００を、正面（矢印Ａ方向）からみて、プリンタ２００の上下左右前後の方向を特定する場合がある。
【００６４】
情報処理装置であって画像形成装置としてのプリンタ２００は、第１のユニットとしてのプリンタ本体２０１と、正面（矢印Ａ方向）から見て、プリンタ本体２０１の上部の後端近傍で左右に延在する第１の回動軸としての回動軸２２０を中心にプリンタ本体２０１に回動自在に保持された第２のユニットとしてのスタッカカバー２１０（網掛部）を備える。プリンタ本体２０１には、スタッカカバー２１０より前方において、左側に無線読取ユニット収納部としてのＩＣカードリーダ収納部２０３が、右側に入力部としての操作パネル２３０が互いに隣接して配置されている。
【００６５】
プリンタ本体２０１の内部構成は、例えば実施の形態１の図２で説明した画像印刷部１０の内部構成と同じ構成を有するものとする。即ち、内部で印刷が終了した記録用紙は、排出ローラ対２０２（図２では１１８）によってスタッカカバー２１０（図２では１２２）の排出用紙載置部２１１（図２では１１９）上に順次排出され、重ねて載置される。
【００６６】
また開閉蓋２０４を有するＩＣカードリーダ収納部２０３の主な構成も、実施の形態１で説明した開閉蓋７０を有するＩＣカードリーダ収納部５０（例えば図４）と同じである。即ちＩＣカードリーダ収納部２０３は、図７、図８に示す載置床６２、リブ６３、ラッチ６８、回動軸部５７、ソケット６７、開閉蓋７０（本実施の形態では２０４）等を同様の位置関係で備え、ＩＣカードリーダ８５を収納するが、開閉蓋７０及び載置溝５６等の一部形状のみが異なっている。
【００６７】
尚、本実施の形態では、情報処理装置として画像形成装置であるプリンタ２００を例にして、第１のユニットとしてのプリンタ本体２０１、第２のユニットとしてのスタッカカバー２１０、無線読取ユニット収納部としてのＩＣカードリーダ収納部２０３、及び入力部としての操作パネル２３０の関係を説明したが、これに限定されるものではなく、例えば情報処理装置として実施の形態１で示した画像読取部３０と同様の構成を有するスキャナを想定し、第１のユニットとしてフラットベッドユニットを、第２のユニットとしてＡＤＦユニットをそれぞれ想定しても良いなど、種々の態様を取り得るものである。
【００６８】
以上のように、本実施の形態のプリンタ２００によれば、ＩＣカードリーダ収納部２０３を、装置正面側において、操作パネル２３０に隣接して配置しているため、装置の設置スペースを広げることなく、また装置の外観を損なうことなくＩＣカードリーダを実装することができる。
また開閉蓋２０４は、軸方向が、スタッカカバー２１０の回動軸２２０とは直交する方向に配置された回動軸部を中心に回動するため、例え開いた状態であっても、スタッカカバー２１０の回動を妨げることはない。
【産業上の利用可能性】
【００６９】
本実施の形態では情報処理装置として画像形成装置である複合装置、プリンタを用いて説明したが、複写機、ＦＡＸ、スキャナ等にも適用可能である。
【符号の説明】
【００７０】
１  複合装置、  １０  画像印刷部、  １２  用紙排出部、  １３  外筐、  ２１  左ステイ、  ２１ａ  左軸孔、  ２２  右ステイ、  ２２ａ  右軸孔、  ３０  画像読取部、  ３１  フラットベッドユニット、  ３１ａ  上面、  ３３  第１回動軸、  ３４  フレーム、  ３５  軸ホルダ、  ３６  軸ホルダ、  ３７  ヒンジユニット、  ３８  ヒンジユニット、  ４１  ＡＤＦユニット、  ４１ａ  前面、  ４２  手掛け部、  ４４  ＡＤＦ回動軸、  ４５  原稿トレイ、  ４６  排出トレイ、  ５０  ＩＣカードリーダ収納部、  ５１  収納凹部、  ５２  前枠部、  ５３  左枠部、  ５４  右枠部、  ５５  手掛け部、  ５６  載置溝、  ５６ａ  手掛けスペース、  ５７  回動軸部、  ５８  押え部材、  ５８ａ  載置面、  ５８ｂ  突起部、  ６０  係止凸部、  ６０ａ  当接部、  ６２  載置床、  ６３  リブ、  ６６  ケーブル収容空間、  ６７  ソケット、  ６７ａ  ケーブル、  ６８  ラッチ、  ６８ａ  突起部、  ６９  ラッチ、  ６９ａ  突起部、  ７０  開閉蓋、  ７０ａ  縁部、  ７０ｃ  ＩＣカード載置面、  ７０ｄ  手掛け部、  ７１  軸受部、  ７１ａ  係止部、  ７３  ラッチ、  ７３ａ  第１傾斜面、  ７３ｂ  第２傾斜面、  ８０  操作パネル、  ８５  ＩＣカードリーダ、  ８５ａ  長手面、  ８５ｂ  長手面、  ８６  ケーブル、  ８６ａ  余長部分、  ８７  コネクタ、  １１０  媒体載置台、  １１１  ピックアップローラ、  １１２  給紙ローラ、  １１３  分離ローラ、  １１４  搬送ローラ対、  １１５  画像形成部、  １１５ａ  感光体ドラム、  １１５ｂ  転写ローラ、  １１６  画像定着器、  １１７  搬送ローラ対、  １１８  排出ローラ対、  １１９  排出用紙載置部、  １２２  スタッカカバー、  １２３  回動軸、  ２００  プリンタ、  ２０１  プリンタ本体、  ２０２  排出ローラ対、  ２０３  ＩＣカードリーダ収納部、  ２０４  開閉蓋、  ２１０  スタッカカバー、  ２１１  排出用紙載置部、  ２２０  回動軸、  ２３０  操作パネル。
【図１】
2016064614.tif 000003
【図２】
2016064614.tif 000004
【図３】
2016064614.tif 000005
【図４】
2016064614.tif 000006
【図５】
2016064614.tif 000007
【図６】
2016064614.tif 000008
【図７】
2016064614.tif 000009
【図８】
2016064614.tif 000010
【図９】
2016064614.tif 000011
【図１０】
2016064614.tif 000012
【図１１】
2016064614.tif 000013
【図１２】
2016064614.tif 000014
【図１３】
2016064614.tif 000015